(57)【特許請求の範囲】
【請求項１】
内部に緩衝材を内装した蓋部と内部に緩衝材を内装した本体部とを備え、
前記緩衝材は夫々複数の突状部が突設され、
前記蓋部と前記本体部との閉鎖状態において、前記蓋部に突設された突状部と前記本体部に突設された突状部とが噛み合い状態となるように形成されてなり、
前記緩衝材は収納される食器を挿入するための複数の丸孔が穿設されてなり、
前記丸孔の底面部から上方に向けて突設し収納される食器を安定的に保持する隆起部を形成してなり、前記隆起部は前記緩衝材の上面より高く形成されてなることを特徴とする食器運搬用収納箱。
【請求項２】
内部に緩衝材を内装した蓋部と内部に緩衝材を内装した本体部とを備え、
前記緩衝材は夫々複数の突状部が突設され、
前記蓋部と前記本体部との閉鎖状態において、前記蓋部に突設された突状部と前記本体部に突設された突状部とが噛み合い状態となるように形成されてなり、
前記緩衝材は収納される食器を挿入するための複数の丸孔が穿設されてなり、
前記丸孔の底面部から上方に向けて突設し収納される食器を安定的に保持する隆起部を形成してなり、前記隆起部は前記緩衝材の上面と同面に形成されてなることを特徴とする食器運搬用収納箱。
【請求項３】
内部に緩衝材を内装した蓋部と内部に緩衝材を内装した本体部とを備え、
前記緩衝材は夫々複数の突状部が突設され、
前記蓋部と前記本体部との閉鎖状態において、前記蓋部に突設された突状部と前記本体部に突設された突状部とが噛み合い状態となるように形成されてなり、
前記緩衝材は収納される食器を挿入するための複数の丸孔が穿設されてなり、
前記丸孔の底面部から上方に向けて突設し収納される食器を安定的に保持する隆起部を形成してなり、
前記隆起部は前記緩衝材の上面より高く形成されてなるものと前記緩衝材の上面と同面に形成されるものとを含むことを特徴とする食器運搬用収納箱。
【請求項４】
前記隆起部を形成しない前記丸孔を含むことを特徴とする請求項１乃至請求項３の何れか一に記載の食器運搬用収納箱。
【発明の詳細な説明】
【技術分野】
【０００１】
本発明は、例えば引っ越し時等のように、多数の食器を内部に収納した状態で運搬される場合に最適な食器運搬用収納箱に関するものである。
【背景技術】
【０００２】
従来、この種の食器運搬用収納箱としては、例えば、実開昭６３−６２３６９６号公報に記載のものが公知である。前記従来の食器運搬用収納箱は、ウレタンフォームを充填した本体部と、蓋板の下側にウレタンフォーが配置された蓋部とを備えるものであり、前記本体部と前記蓋部は止め金具により固定されている。そして、収納される商品等を前記蓋部と前記本体部のウレタンフォームで保持して保持している。
【先行技術文献】
【特許文献】
【０００３】
【特許文献１】実開昭６３−６２３６９６号公報
【発明の概要】
【発明が解決しようとする課題】
【０００４】
しかしながら、例えば、引越の際に食器を運搬する場合等のように様々な種類の食器を一度に運搬する必要が生じるとき、すなわち、皿等の厚みの薄い食器や茶碗等の深さの深い食器やコップ等の背の高い食器のように、様々な大きさ深さ高さの食器を運ぶ必要が生じるような場合には、前記食器運搬用収納箱では、食器の種類に応じて、前記ウレタンフォームから受ける押圧力に差異が生じ、うまく保持して保持できない場合が生じる。また、皿等のように厚みの薄い食器等を保持する場合に、前記ウレタンフォームの押圧力がうまくかからなく、前記食器運搬用収納箱の運搬時に内部で移動するような場合も生じる。また、前記のような不都合は、前記ウレタンフォームの経時劣化によっても生じる場合がある。
【０００５】
本発明は、かかる点に鑑みてなされたものであり、その目的とするところは、様々な種類の食器を運搬する場合においても、内部に設けられた緩衝材で確実に保持することができる食器運搬用収納箱を提供することにある。
【課題を解決するための手段】
【０００６】
請求項１に記載の食器運搬用収納箱は、内部に緩衝材を内装した蓋部と内部に緩衝材を内装した本体部とを備え、 前記緩衝材は夫々複数の突状部が突設され、 前記蓋部と前記本体部との閉鎖状態において、前記蓋部に突設された突状部と前記本体部に突設された突状部とが噛み合い状態となるように形成されてなり、前記緩衝材は収納される食器を挿入するための複数の丸孔が穿設されてなり、前記丸孔の底面部から上方に向けて突設し収納される食器を安定的に保持する隆起部を形成してなり、前記隆起部は前記緩衝材の上面より高く形成されてなることを特徴とする。
【０００７】
削除。
【０００８】
請求項２に記載の食器運搬用収納箱は、内部に緩衝材を内装した蓋部と内部に緩衝材を内装した本体部とを備え、前記緩衝材は夫々複数の突状部が突設され、前記蓋部と前記本体部との閉鎖状態において、前記蓋部に突設された突状部と前記本体部に突設された突状部とが噛み合い状態となるように形成されてなり、前記緩衝材は収納される食器を挿入するための複数の丸孔が穿設されてなり、前記丸孔の底面部から上方に向けて突設し収納される食器を安定的に保持する隆起部を形成してなり、前記隆起部は前記緩衝材の上面と同面に形成されてなることを特徴とする。
【０００９】
請求項１又は請求項２に記載の食器運搬用収納箱にあっては、食器を収納して前記蓋部と前記本体部とを閉鎖した状態において、前記蓋部に内装された前記緩衝材と前記本体部に内装された前記緩衝材とに突設された突状部とが夫々噛み合うので、前記収納された食器は前記緩衝材に確実に保持される。また、前記緩衝材が発泡樹脂で成型されて経時劣化する場合であっても、前記突状部により、保持力は衰えにくいものとなる。また、収納される食器において、夫々高さ、深さ等が相違する場合であっても、例えば、背の高いコップや茶碗等の食器を前記丸孔に挿入することによって、前記緩衝材で保持する場合に、背の違い等による押圧力に差異が生じにくく、良好に保持することができる。
【００１０】
請求項３に記載の食器運搬用収納箱は、内部に緩衝材を内装した蓋部と内部に緩衝材を内装した本体部とを備え、前記緩衝材は夫々複数の突状部が突設され、前記蓋部と前記本体部との閉鎖状態において、前記蓋部に突設された突状部と前記本体部に突設された突状部とが噛み合い状態となるように形成されてなり、前記緩衝材は収納される食器を挿入するための複数の丸孔が穿設されてなり、前記丸孔の底面部から上方に向けて突設し収納される食器を安定的に保持する隆起部を形成してなり、前記隆起部は前記緩衝材の上面より高く形成されてなるものと前記緩衝材の上面と同面に形成されるものとを含むことを特徴とする。
【００１１】
削除。
【００１２】
請求項４に記載の食器運搬用収納箱は、請求項１乃至請求項３の何れか一に記載の食器運搬用収納箱において、前記隆起部を形成しない前記丸孔を含むことを特徴とする。
【００１３】
削除。
【００１４】
削除。
【００１５】
削除。
【００１６】
削除。
【００１７】
削除。
【００１８】
削除。
【００１９】
請求項３又は請求項４に記載の食器運搬用収納箱にあっては、例えば、背の高いコップや茶碗等の食器を前記丸孔に挿入する場合に、様々の種類の食器に対応して、良好に保持することができる。
【発明の効果】
【００２０】
請求項１又は請求項２に記載の食器運搬用収納箱によれば、内部に緩衝材を内装した蓋部と内部に緩衝材を内装した本体部とを備え、前記緩衝材は夫々複数の突起部が突設され、前記蓋部と前記本体部との閉鎖状態において、前記蓋部に突設された突状部と前記本体部に突設された突状部とが噛み合い状態となるように形成されているので、食器を収納して前記蓋部と前記本体部とを閉鎖した状態において、前記蓋部に内装された前記緩衝材と前記本体部に内装された前記緩衝材とに突設された突状部とが夫々噛み合うので、前記収納された食器は前記緩衝材に確実に保持される。また、前記緩衝材が発泡樹脂で成型されて経時劣化する場合であっても、前記突状部により、保持力は衰えにくいものとなる。また、収納される食器において、夫々高さ、深さ等が相違する場合であっても、例えば、背の高いコップや茶碗等の食器を前記丸孔に挿入することによって、前記緩衝材で保持する場合に、背の違い等による押圧力に差異が生じにくく、良好に保持することができる。また、例えば、背の高いコップや茶碗等の食器を前記丸孔に挿入する場合に、良好に保持することができる。
【００２１】
削除。
【００２２】
削除。
【００２３】
削除。
【００２４】
削除。
【００２５】
削除。
【００２６】
請求項３又は請求項４に記載の食器運搬用収納箱によれば、前記隆起部は前記緩衝材に穿設する前記丸孔に混在しているので、例えば、背の高いコップや茶碗等の食器を前記丸孔に挿入する場合に、様々の種類の食器に対応して、良好に保持することができる。
【図面の簡単な説明】
【００２７】
【図１】本発明に係る食器運搬用収納箱の斜視図である。
【図２】本発明に係る食器運搬用収納箱の開蓋状態を示す斜視図である。
【図３】食器運搬用収納箱が閉鎖状態のときの緩衝材の噛み合い状態を示す斜視図である。
【図４】図３の緩衝材のＡ−Ａ線断面図である。
【図５】第２実施例の緩衝材を示す要部拡大図である。
【図６】第２実施例の緩衝材の使用状態を示す部分断面図である。
【図７】第３実施例の緩衝材を示す要部拡大図である。
【図８】第３実施例の緩衝材の使用状態を示す部分断面図である。
【図９】第４実施例の緩衝材を示す要部拡大図である。
【図１０】第４実施例の緩衝材の使用状態を示す部分断面図である。
【発明を実施するための形態】
【００２８】
以下、本発明を実施するための最良の形態を図面に基づいて具体的に説明する。
【００２９】
図１は本発明にかかる食器運搬用収納箱の斜視図である。図中１０は、本発明に係る食器運搬用収納箱であり、前記食器運搬用収納箱１０は、硬質の合成樹脂により概略スーツケース状に成型される外箱１１を備えている。前記外箱１１は、本体部１１ａと、蓋部ｌ１１ｂとからなり、底面において、前記本体部に蓋部１１ｂがヒンジ（図示せず）により開閉自在に接合されている。そして、図１に示すように、前記食器運搬用収納箱１０の上面中央には把持手１２と、その両側にはロック部１３とを設けている。さらに、前記食器運搬用収納箱１０の底面には、床面に載置した場合により安定するように、脚部１４を４つ設けている。
【００３０】
前記食器運搬用収納箱１０は、概略長さ８５０ｍｍ，高さ５００ｍｍ、幅３００ｍｍ程度の大きさからなるが、作業者が持てて運搬できる大きさであれば良い。
【００３１】
図２は前記食器運搬用収納箱１０の開蓋状態を示す斜視図であり、図３は前記食器運搬用収納箱１０が閉鎖状態のときの緩衝材２０の噛み合い状態を示す斜視図であり、図４は、図３における緩衝材２０（２０ａ、２０ｂ）のＡ−Ａ線断面図である。
【００３２】
図２に示すように、前記本体部１１ａの内部には、発泡ポリウレタン等の柔軟な素材から形成される緩衝材２０ａが全体的に敷き詰められており、また、前記蓋部１１ｂにも、同様に発泡ポリウレタン等の柔軟な素材から形成される緩衝材２０ｂが全体的に敷き詰められている。そして、前記緩衝剤２０（２０ａ，２０ｂ）の夫々の上面には、略円錐台状の突状部２２が夫々上面一面に形成されると共に、前記突状部２２，２２間は、倒立状態の前記突状部２２が噛み合い状態となるような間隔にて列状に配置され、図３に示すように、前記本体部１１ａと前記蓋部１１ｂとが閉鎖された状態において、前記緩衝材２０（２０ａ，２０ｂ）の当接面Ｘは噛み合状態となるように配置されている。
【００３３】
そして、前記緩衝材２０ａには、背の高い食器を保持するために、略半分の面積に丸孔２３が複数個、穿設されている。前記丸孔２３は、４０ｍｍ乃至７０ｍｍ程度の深さのものであるが、運搬する食器の種類に応じて、適宜の深さを選択すれば良い。また、前記丸孔２３には、食器を逆向きに保持するので、孔径も適宜、食器の口径寸法に応じて適宜設定すれば良い。
【００３４】
図４に示すように、前記緩衝材２０（２０ａ，２０ｂ）は噛み合い状態で閉鎖されているので、内部に収納された比較的背の高い食器である茶碗Ｌを、前記丸孔２３に逆向きで収納することにより、好適に保持することができる。また、前記丸孔２３が穿設されていない部分には、比較的背の低い食器である皿Ｄ等を収納することにより、収納される食器間の背の違いによる押圧力の差を減少でき、押圧時にできる隙間を減少させることがき、好適に保持することができると共に、収納される食器に与える圧力差を解消することもできる。
【００３５】
なお、前記丸孔２３は、同じ深さのものが、前記緩衝材２０ａ高さ方向の中央部から開口側に向け、８列、７列、６列と配置されているが、これに限らず、適宜の数の前記丸孔２３を穿設すれば良い。また、前記丸孔２３の深さも、同じ深さのものを穿設しているが、深さの相違する前記丸孔２３を、複数種類穿設してもよい。
【００３６】
本実施例に係る食器運搬用収納箱１０は、以上の構成からなるので、食器を収納して前記蓋部１１ｂと前記本体部１１ａとを閉鎖した状態において、前記蓋部１１ｂに内装された前記緩衝材２０ｂと前記本体部１１ａに内装された前記緩衝材２０ａとに夫々突設された突状部２２，２２・・とが夫々噛み合うので、前記収納された食器は前記緩衝材２０（２０ａ，２０ｂ）に確実に保持される。また、前記緩衝材２０（２０ａ，２０ｂ）が発泡樹脂で成型されて経時劣化する場合であっても、前記突状部２２．２２・・により、収納される食器を保持する保持力は衰えにくいものとなる。
【００３７】
また、食器運搬用収納箱１０において、前記緩衝材２０（２０ａ，２０ｂ）は収納される食器を挿入するための複数の丸孔２３，２３・・が穿設されているので、収納される食器において、夫々高さ、深さ等が相違する場合であっても、例えば、背の高いコップや茶碗等の食器を前記丸孔２３，２３・・に挿入することによって、前記緩衝材２０（２０ａ，２０ｂ）で保持する場合に、背の違い等による押圧力に差異が生じにくく、収納される食器を良好に保持することができる。
【００３８】
図５は第２実施例の緩衝材３０ａを示す要部拡大斜視図であり、図６は第２実施例の緩衝材３０ａの使用状態を示す部分断面図である。図５に示すように、第２実施例の緩衝材３０ａは、前記丸孔３３の底面において、底面外周に環状部を残して略円錐台状の隆起部３４を突設している。前記隆起部３４の上面は、前記緩衝材３０ａの上面よりも、さらに突出するように成形されている。そして、前記第２実施例の緩衝剤３０ａは使用状態においては、図６に示すように、背の高いコップＧ等の食器を前記丸孔３３に逆向きに載置すると、前記コップＧの内部に前記隆起部３４が突入する状態になり、前記隆起部３４が前記コップＧを載置状態から前後左右に倒れないように保持するのである。したがって、第２実施例の緩衝材３０ａの前記隆起部３４は、背の高いコップＧ等の食器の収納に好適なものとなる。
【００３９】
図７は第２実施例の緩衝材４０ａを示す要部拡大斜視図であり、図８は第３実施例の緩衝材４０ａの使用状態を示す部分断面図である。図７に示すように、第３実施例の緩衝材４０ａは、前記丸孔４３の底面において、底面外周に環状部を残して略円錐台状の隆起部４４を突設している。前記隆起部４４の上面は、前記緩衝材４０ａの上面と略同面に成形されている。そして、前記第３実施例の緩衝剤４０ａは使用状態においては、図８に示すように、比較的背の高い茶碗Ｌ等の食器を前記丸孔４３に逆向きに載置すると、前記茶碗Ｌの内部に前記隆起部４４が突入する状態になり、前記隆起部４４が前記茶碗Ｌを載置状態から前後左右に倒れないように保持するのである。したがって、第３実施例の緩衝材４０ａの前記隆起部４４は、比較的背の高い茶碗Ｌ等の食器の収納に好適なものとなる。
【００４０】
図９は第４実施例の緩衝材５０ａを示す要部拡大斜視図であり、図１０は第４実施例の緩衝材５０ａの使用状態を示す部分断面図である。図９に示すように、第３実施例の緩衝材５０ａは、前記丸孔５３の底面において、底面外周に環状部を残して略円錐台状の隆起部５４を突設している。前記隆起部５４の上面は、前記緩衝材５０ａの上面と略同面に成形されている。そして、前記第４実施例の緩衝剤５０ａは使用状態においては、図１０に示すように、比較的背の低い茶碗Ｌ等の食器を前記丸孔５３に逆向きに載置すると、前記茶碗Ｌの内部に前記隆起部５４が突入する状態になり、前記隆起部５４が前記茶碗Ｌを載置状態から前後左右に倒れないように保持するのである。したがって、第４実施例の緩衝材５０ａの前記隆起部５４は、比較的背の低い茶碗Ｌ等の食器の収納に好適なものとなる。
【００４１】
なお、前記丸孔２３，３３，４３，５３は、前記緩衝材２０ａに混在して設けてもよく、また前記丸孔２３（３３，４３，５３）の数は前記実施例に限定されるものではなく、適宜の数を設けて良い。
【符号の説明】
【００４２】
１０    食器運搬用収納箱
１１    外箱
１１ａ  本体部
１１ｂ  蓋部
１２    把持手
１３    ロック部
１４    脚部
２０    緩衝材
２０ａ  緩衝材（本体部）
２０ｂ  緩衝材（蓋部）
２２    突状部
２３    丸孔    
３０    緩衝材（第２実施例）
３０ａ  緩衝材（本体部  第２実施例）
３３    丸孔
３４    隆起部
４０    緩衝材（第３実施例）
４０ａ  緩衝材（本体部  第３実施例）
４３    丸孔
４４    隆起部
５０    緩衝材（第４実施例）
５０ａ  緩衝材（本体部  第４実施例）
５３    丸孔
５４    隆起部
Ｌ    茶碗
Ｄ    皿
Ｇ    コップ
Ｘ    当接面（噛み合い状態）
【図１】
0006041277.tif 000002
【図２】
0006041277.tif 000003
【図３】
0006041277.tif 000004
【図４】
0006041277.tif 000005
【図５】
0006041277.tif 000006
【図６】
0006041277.tif 000007
【図７】
0006041277.tif 000008
【図８】
0006041277.tif 000009
【図９】
0006041277.tif 000010
【図１０】
0006041277.tif 000011